(57)【要約】【課題】廃棄電気製品から塵埃等の除去を確実に行い得る電気製品の清浄化装置を提供する。【解決手段】電気製品の清浄化装置は、（ａ）電気製品６０Ａを清浄化するために電気製品を収納する清浄化室２０、（ｂ）電気製品６０Ａに振動を与える振動装置３０、（ｃ）電気製品６０Ａに高圧流体を吹き付ける高圧流体吹付け装置４０、及び、（ｄ）電気製品６０Ａの清浄化のために用いられた高圧流体を清浄化するための高圧流体清浄装置５０を備えている。【選択図】  図１
2011183330.tif 000002
【特許請求の範囲】
【請求項１】
電気製品を解体する前に、電気製品に振動を与えながら、電気製品に高圧流体を吹き付けることで、電気製品を清浄化することを特徴とする電気製品の解体前処理方法。
【請求項２】
電気製品の上下方向に振動を与えながら、電気製品の少なくとも側面に高圧流体を吹き付けることを特徴とする請求項１に記載の電気製品の解体前処理方法。
【請求項３】
電気製品は家庭用エア・コンディショナーの室外機であり、清浄化する電気製品の部分は室外機の内部であることを特徴とする請求項１又は請求項２に記載の電気製品の解体前処理方法。
【請求項４】
室外機の底面を上に向けた状態で電気製品を清浄化することを特徴とする請求項３に記載の電気製品の解体前処理方法。
【請求項５】
電気製品は家庭用エア・コンディショナーの室内機であり、清浄化する電気製品の部分は室内機の内部であることを特徴とする請求項１に記載の電気製品の解体前処理方法。
【請求項６】
電気製品は平面型表示装置であり、清浄化する電気製品の部分は平面型表示装置の背面部の内部であることを特徴とする請求項１又は請求項２に記載の電気製品の解体前処理方法。
【請求項７】
電気製品を清浄化室内に収納した状態で電気製品を清浄化することを特徴とする請求項１乃至請求項６に記載の電気製品の解体前処理方法。
【請求項８】
電気製品を解体する前に、電気製品を回転するブラシに接触させながら、電気製品に高圧流体を吹き付けることで、電気製品を清浄化することを特徴とする電気製品の解体前処理方法。
【請求項９】
ブラシは、首振り自在であり、且つ、電気製品に向かう方向及び電気製品から離れる方向に移動可能であることを特徴とする請求項８に記載の電気製品の解体前処理方法。
【請求項１０】
電気製品は家庭用冷蔵庫であり、清浄化する電気製品の部分は家庭用冷蔵庫のコンプレッサ取付部であることを特徴とする請求項８又は請求項９に記載の電気製品の解体前処理方法。
【請求項１１】
電気製品は家庭用洗濯機であり、清浄化する電気製品の部分は家庭用洗濯機のモータ取付部であることを特徴とする請求項８又は請求項９に記載の電気製品の解体前処理方法。
【請求項１２】
電気製品を清浄化室内に収納した状態で電気製品を清浄化することを特徴とする請求項８乃至請求項１１に記載の電気製品の解体前処理方法。
【請求項１３】
（ａ）電気製品を清浄化するために電気製品を収納する清浄化室、
（ｂ）電気製品に振動を与える振動装置、
（ｃ）電気製品に高圧流体を吹き付ける高圧流体吹付け装置、及び、
（ｄ）電気製品の清浄化のために用いられた高圧流体を清浄化するための高圧流体清浄装置、
を備えていることを特徴とする電気製品の清浄化装置。
【請求項１４】
電気製品の上下方向に振動を与えながら、電気製品の少なくとも側面に高圧流体を吹き付けることを特徴とする請求項１３に記載の電気製品の清浄化装置。
【請求項１５】
電気製品は家庭用エア・コンディショナーの室外機であり、清浄化する電気製品の部分は室外機の内部であることを特徴とする請求項１３又は請求項１４に記載の電気製品の清浄化装置。
【請求項１６】
電気製品は家庭用エア・コンディショナーの室内機であり、清浄化する電気製品の部分は室内機の内部であることを特徴とする請求項１３に記載の電気製品の清浄化装置。
【請求項１７】
電気製品は平面型表示装置であり、清浄化する電気製品の部分は平面型表示装置の背面部の内部であることを特徴とする請求項１３又は請求項１４に記載の電気製品の清浄化装置。
【請求項１８】
（ａ）電気製品を清浄化するために電気製品を収納する清浄化室、
（ｂ）首振り自在であり、且つ、電気製品に向かう方向及び電気製品から離れる方向に移動可能であるブラシ、
（ｃ）電気製品に高圧流体を吹き付ける高圧流体吹付け装置、及び、
（ｄ）電気製品の清浄化のために用いられた高圧流体を清浄化するための高圧流体清浄装置、
を備えていることを特徴とする電気製品の清浄化装置。
【請求項１９】
電気製品は家庭用冷蔵庫であり、清浄化する電気製品の部分は家庭用冷蔵庫のコンプレッサ取付部であることを特徴とする請求項１８に記載の電気製品の清浄化装置。
【請求項２０】
電気製品は家庭用洗濯機であり、清浄化する電気製品の部分は家庭用洗濯機のモータ取付部であることを特徴とする請求項１８に記載の電気製品の清浄化装置。
【発明の詳細な説明】
【技術分野】
【０００１】
本発明は、電気製品の解体前処理方法及び電気製品の清浄化装置に関する。
【背景技術】
【０００２】
資源の有効活用、地球環境保全を目的として、廃棄電気製品が解体され、構成部材、構成部品毎に分別再生処理（リサイクル）されている。特に、２００１年４月より特定家庭用機器再商品化法が施行され、家庭用の家庭用エア・コンディショナー、テレビジョン受像機（ブラウン管式及び液晶・プラズマ式）、家庭用の電気冷蔵庫及び電気冷凍庫 、並びに、家庭用の電気洗濯機及び衣類乾燥機のリサイクルが義務付けられている。
【０００３】
廃棄電気製品の解体時に発生する塵埃等を除去するために、種々の方法、装置が開発されている（例えば、特開平１０−２４８０４２や特開２００９−２７３９７４参照）。これらの特許公開公報に開示された技術にあっては、圧縮空気を廃棄電気製品に吹き付けることで、廃棄電気製品の塵埃等の除去を行っている。
【先行技術文献】
【特許文献】
【０００４】
【特許文献１】特開平１０−２４８０４２
【特許文献２】特開２００９−２７３９７４
【発明の概要】
【発明が解決しようとする課題】
【０００５】
しかしながら、塵埃等の廃棄電気製品への付着状態に依存して、圧縮空気を廃棄電気製品に吹き付けるだけでは、廃棄電気製品の塵埃等の除去が困難である場合が多い。
【０００６】
従って、本発明の目的は、廃棄電気製品から塵埃等の除去を確実に行い得る電気製品の解体前処理方法、及び、係る電気製品の解体前処理方法の実行に適した電気製品の清浄化装置を提供することにある。
【課題を解決するための手段】
【０００７】
上記の目的を達成するための本発明の第１の態様に係る電気製品の解体前処理方法（以下、『本発明の第１の態様に係る解体前処理方法』と呼ぶ）は、電気製品を解体する前に、電気製品に振動を与えながら、電気製品に高圧流体を吹き付けることで、電気製品を清浄化することを特徴とする。尚、『振動』には、衝撃及び打撃が包含される。以下においても同様である。
【０００８】
上記の目的を達成するための本発明の第１の態様に係る電気製品の清浄化装置（以下、『本発明の第１の態様に係る清浄化装置』と呼ぶ）は、
（ａ）電気製品を清浄化するために電気製品を収納する清浄化室、
（ｂ）電気製品に振動を与える振動装置、
（ｃ）電気製品に高圧流体を吹き付ける高圧流体吹付け装置、及び、
（ｄ）電気製品の清浄化のために用いられた高圧流体を清浄化するための高圧流体清浄装置、
を備えていることを特徴とする。
【０００９】
上記の本発明の第１の態様に係る解体前処理方法あるいは本発明の第１の態様に係る清浄化装置（以下、これらを総称して、単に、『本発明の第１の態様』と呼ぶ場合がある）にあっては、限定するものではないが、電気製品の上下方向に振動を与えながら、電気製品の少なくとも側面に高圧流体を吹き付ける形態とすることが好ましい。
【００１０】
そして、上記の好ましい形態を含む本発明の第１の態様において、電気製品は家庭用エア・コンディショナーの室外機であり、清浄化する電気製品の部分は室外機の内部である構成とすることができ、この場合、室外機の底面を上に向けた状態で電気製品を清浄化することが望ましい。あるいは又、電気製品は家庭用エア・コンディショナーの室内機であり、清浄化する電気製品の部分は室内機の内部である構成とすることができる。あるいは又、電気製品は平面型表示装置（具体的には、液晶表示装置及びプラズマ表示装置）であり、清浄化する電気製品の部分は平面型表示装置の背面部の内部である構成とすることができる。
【００１１】
上記の目的を達成するための本発明の第２の態様に係る電気製品の解体前処理方法（以下、『本発明の第２の態様に係る解体前処理方法』と呼ぶ）は、電気製品を解体する前に、電気製品を回転するブラシに接触させながら、電気製品に高圧流体を吹き付けることで、電気製品を清浄化することを特徴とする。
【００１２】
本発明の第２の態様に係る解体前処理方法において、ブラシは、首振り自在であり、且つ、電気製品に向かう方向及び電気製品から離れる方向に移動可能である形態とすることが好ましい。
【００１３】
上記の目的を達成するための本発明の第２の態様に係る電気製品の清浄化装置（以下、『本発明の第２の態様に係る清浄化装置』と呼ぶ）は、
（ａ）電気製品を清浄化するために電気製品を収納する清浄化室、
（ｂ）首振り自在であり、且つ、電気製品に向かう方向及び電気製品から離れる方向に移動可能であるブラシ、
（ｃ）電気製品に高圧流体を吹き付ける高圧流体吹付け装置、及び、
（ｄ）電気製品の清浄化のために用いられた高圧流体を清浄化するための高圧流体清浄装置、
を備えていることを特徴とする。
【００１４】
上記の好ましい形態を含む本発明の第２の態様に係る解体前処理方法あるいは本発明の第２の態様に係る清浄化装置（以下、これらを総称して、単に、『本発明の第２の態様』と呼ぶ場合がある）において、電気製品は家庭用冷蔵庫であり、清浄化する電気製品の部分は家庭用冷蔵庫のコンプレッサ取付部である構成とすることができる。あるいは又、電気製品は家庭用洗濯機であり、清浄化する電気製品の部分は家庭用洗濯機のモータ取付部である構成とすることができる。
【００１５】
更には、以上に説明した好ましい形態、構成を含む本発明の第１の態様あるいは第２の態様に係る解体前処理方法にあっては、電気製品を清浄化室内に収納した状態で電気製品を清浄化することが好ましい。そして、電気製品の清浄化のために用いられた高圧流体は、高圧流体清浄装置によって清浄化することが望ましい。
【００１６】
以上に説明した好ましい形態、構成を含む本発明の第１の態様あるいは第２の態様にあっては、電気製品として、その他、家庭用の電気冷凍庫、家庭用の衣類乾燥機、電子レンジ、パーソナルコンピュータ、ゲーム機、ビデオテープレコーダ、ＤＶＤレコーダ、ＤＶＤプレーヤー、ＣＤレコーダ、ＣＤプレーヤー、オーディオ装置、各種家庭電気製品を例示することができる。
【００１７】
電気製品に振動（衝撃、打撃を含む）を与える振動装置は、如何なる形式、構造、構成の装置とすることもでき、例えば、ピストンによる打撃機構を有する工具、具体的には、例えば、圧縮空気源（エアコンプレッサ）と、チェック弁と、振動を与えるために圧縮空気で駆動される振動付与部（バットとも呼ばれる）と、これらを連結する配管（ホース）から構成されたサンドランマーを例示することができる。あるいは又、ベビーハンマー、電気ハンマー、エア式バイブレータ、電気式バイブレータを例示することもできる。
【００１８】
本発明の第２の態様において使用されるブラシは、首振り自在であり、且つ、電気製品に向かう方向及び電気製品から離れる方向に移動可能であるが、このような構成、構造のブラシを含むブラシ組立体として、例えば、ブラシが取り付けられたモータをボールジョイント（ボール継手）に取り付け、ボールジョイントを油圧シリンダーや空気圧シリンダー、モータを用いて移動させる構成、構造を例示することができる。ブラシは、１つ、又は、２つ以上の複数とすればよい。また、ブラシは、ナイロンブラシ等、周知のブラシとすればよい。
【００１９】
電気製品を清浄化するために電気製品に高圧流体を吹き付ける高圧流体吹付け装置として、高圧流体源と、ノズルと、これらを連結する配管（ホース）から構成された装置を挙げることができる。高圧流体として、空気、水蒸気（スチーム）、水（温水）等の液体を挙げることができるし、高圧流体源は、これらの高圧流体を適切に生成し得る装置（例えば、エアコンプレッサやボイラー、ポンプ等）とすればよい。ノズルは、１つ、又は、２つ以上の複数とすればよい。また、ノズルは、清浄化室内に移動自在に配置すればよく、あるいは又、清浄化室の側壁等に取り付ければよい。
【００２０】
本発明の第１の態様あるいは第２の態様に係る解体前処理方法にあっては、電気製品に高圧流体を吹き付けることで電気製品を清浄化するが、電気製品への高圧流体の吹付け角度、高圧流体の吹付け量、高圧流体の吹付け圧力、高圧流体の吹付け時間等は、種々の試験を行い、適宜、決定すればよい。解体前処理すべき電気製品に応じて、電気製品への高圧流体の吹付け角度を変えたり、高圧流体の吹付け量、高圧流体の吹付け圧力、高圧流体の吹付け時間等を変えてもよく、これらの変更は制御装置において、適宜、行えばよい。
【００２１】
高圧流体清浄装置は、使用する高圧流体に適したものを適宜選択すればよく、高圧流体として空気を使用する場合、電気製品に付着した塵埃等を空気中から除去するためのサイクロン集塵機や電気式集塵機等を例示することができる。また、高圧流体として水蒸気や水（温水）を使用する場合、電気製品に付着した塵埃等をこれらから除去するための廃水処理等を例示することができる。
【００２２】
清浄化室は、電気製品を搬入し、収納し、搬出できる構造を有するものであれば、如何なる構造、形式、構成のものも用いることができる。清浄化室内における電気製品の収納に際しては、電気製品からの塵埃等が清浄化室の床や電気製品載置部の上に溜まらないように、床あるいは電気製品載置部を、簀の子状やメッシュ状の部材から構成したり、一種のローラコンベアから構成することが望ましい。
【発明の効果】
【００２３】
本発明の第１の態様に係る電気製品の解体前処理方法及び清浄化装置にあっては、電気製品に振動を与えながら、電気製品に高圧流体を吹き付けることで、電気製品を清浄化する。また、本発明の第２の態様に係る電気製品の解体前処理方法及び清浄化装置にあっては、電気製品を回転するブラシに接触させながら、電気製品に高圧流体を吹き付けることで、電気製品を清浄化する。従って、単に、電気製品に高圧流体を吹き付けることで電気製品を清浄化することに比べて、確実に塵埃等の除去を行うことができる。しかも、電気製品を解体する前に電気製品を清浄化するので、電気製品の解体作業場の環境を汚染することもない。
【図面の簡単な説明】
【００２４】
【図１】図１は、実施例１の電気製品の清浄化装置及び解体前処理方法の概念図である。
【図２】図２は、実施例２の電気製品の清浄化装置及び解体前処理方法の概念図である。
【図３】図３は、実施例３の電気製品の清浄化装置及び解体前処理方法の概念図である。
【図４】図４の（Ａ）並びに（Ｂ）は、それぞれ、実施例４の電気製品の清浄化装置及び解体前処理方法の概念図、並びに、ブラシ組立体の模式図である。
【図５】図５は、実施例５の電気製品の清浄化装置及び解体前処理方法の概念図である。
【発明を実施するための形態】
【００２５】
以下、図面を参照して、実施例に基づき本発明を説明するが、本発明は実施例に限定されるものではなく、実施例における種々の数値や材料は例示である。
【実施例１】
【００２６】
実施例１は、本発明の第１の態様に係る電気製品の解体前処理方法及び清浄化装置に関する。実施例１の電気製品の清浄化装置及び解体前処理方法の概念図を図１に示す。実施例１の電気製品の清浄化装置１０Ａは、
（ａ）電気製品を清浄化するために電気製品を収納する清浄化室２０、
（ｂ）電気製品に振動を与える振動装置３０、
（ｃ）電気製品に高圧流体を吹き付ける高圧流体吹付け装置４０、及び、
（ｄ）電気製品の清浄化のために用いられた高圧流体を清浄化するための高圧流体清浄装置５０、
を備えている。
【００２７】
具体的には、電気製品は家庭用エア・コンディショナーの室外機６０Ａであり、清浄化する電気製品の部分は室外機６０Ａの内部である。そして、室外機６０Ａの底面６０ａを上に向けた状態で電気製品（室外機６０Ａ）を清浄化する。また、電気製品の上下方向に振動を与えながら、電気製品の少なくとも側面に高圧流体を吹き付ける。より具体的には、例えば、室外機６０Ａのハウジングの側面に設けられた放熱用のスリット部に高圧流体を吹き付ける。
【００２８】
清浄化室２０は、電気製品を搬入し、収納し、搬出できる、扉を有する箱状の形状を有し、電気製品を載置するための一種のローラコンベア２２が配置されている。
【００２９】
電気製品に振動を与える振動装置３０は、圧縮空気源（エアコンプレッサ）３１と、チェック弁３２と、振動を与えるために圧縮空気で駆動される振動付与部（バット）３３と、これらを連結する配管（ホース）３４から構成されたサンドランマーから成る。振動付与部３３は上下に移動可能である。電気製品の底面と接触した振動付与部３３に圧縮空気によって振動を与えることで、電気製品を上下方向に振動させることができる。
【００３０】
電気製品を清浄化するために電気製品に高圧流体を吹き付ける高圧流体吹付け装置４０は、高圧流体源４１とノズル４２とこれらを連結する配管（ホース）４３から構成されている。高圧流体として空気を用いる。また、高圧流体源は、エアコンプレッサから成る。複数のノズル４２が清浄化室２０の側壁２１に取り付けられている。
【００３１】
高圧流体清浄装置５０は、電気製品に付着した塵埃等（例えば砂や埃、綿埃等）を空気中から除去するためのサイクロン集塵機５１、ブロアー（図示せず）、及び、清浄化室２０とサイクロン集塵機５１とを結ぶ配管５２から構成されている。
【００３２】
実施例１の電気製品の解体前処理方法にあっては、電気製品を解体する前に、先ず、ローラコンベア２２に、室外機６０Ａの底面６０ａを上に向けた状態で電気製品（室外機６０Ａ）を載置し、清浄化室２０に搬入して、清浄化室２０内に収納する。尚、例えば、角パイプ等から構成されたパレットに電気製品を載せ、ローラコンベア２２にパレットを載置してもよい。そして、振動付与部３３を下降させて、振動付与部３３を室外機６０Ａの底面６０ａに接触させる。次いで、清浄化室２０を、一種、密閉状態とした後、振動付与部３３を上下に振動させることで電気製品に振動を与えながら、電気製品にノズル４２から高圧流体（圧縮空気）を吹き付けることで、電気製品から塵埃等を除去し（吹き飛ばし）て清浄化する。塵埃等を含む空気はサイクロン集塵機５１に送られ、サイクロン集塵機５１にて塵埃等は空気から除去される。
【００３３】
電気製品の清浄化が完了したならば、振動付与部３３の動作、ノズル４２からの高圧流体（圧縮空気）の吹付けを中止し、振動付与部３３を上方に移動して電気製品との接触を解き、清浄化室２０から搬出する。その後、電気製品の解体処理を行えばよい。
【００３４】
実施例１あるいは後述する実施例２〜実施例３の電気製品の解体前処理方法及び清浄化装置にあっては、廃棄電気製品に振動を与えながら、電気製品に高圧流体を吹き付けることで、電気製品を清浄化する。従って、単に、電気製品に高圧流体を吹き付けることで電気製品を清浄化することに比べて、確実に塵埃等の除去を行うことができる。しかも、電気製品を解体する前に電気製品を清浄化するので、電気製品の解体作業場の環境を汚染することもない。
【実施例２】
【００３５】
実施例２は、実施例１の変形である。実施例２の電気製品の清浄化装置及び解体前処理方法の概念図を図２に示す。実施例２にあっては、電気製品は家庭用エア・コンディショナーの室内機６０Ｂであり、清浄化する電気製品の部分は室内機６０Ｂの内部である。実施例２にあっては、室内機６０Ｂの空気吹出し口（図示せず）に向けて、ノズル４２から高圧流体（圧縮空気）を吹き付ければよい。これらの点を除き、実施例２の電気製品の清浄化装置及び解体前処理方法は、実施例１の電気製品の清浄化装置及び解体前処理方法と同様とすればよいので、詳細な説明は省略する。
【実施例３】
【００３６】
実施例３も実施例１の変形である。実施例３の電気製品の清浄化装置及び解体前処理方法の概念図を図３に示す。実施例３にあっては、電気製品は平面型表示装置６０Ｃ（具体的には、液晶表示装置及びプラズマ表示装置）であり、清浄化する電気製品の部分は平面型表示装置６０Ｃの背面部６０ｃの内部である。平面型表示装置６０Ｃの裏面（背面）パネルを付けた状態で解体前処理方法を行う。即ち、実施例３にあっては、平面型表示装置６０Ｃの画像表示面を下側とし、裏面（背面）パネルを上側とし、平面型表示装置６０Ｃの裏面（背面）パネルに設けられた放熱用のスリット部（図示せず）に向けて、ノズル４２から高圧流体（圧縮空気）を吹き付ければよい。これらの点を除き、実施例３の電気製品の清浄化装置及び解体前処理方法は、実施例１の電気製品の清浄化装置及び解体前処理方法と同様とすればよいので、詳細な説明は省略する。尚、平面型表示装置の裏面（背面）パネルを外した状態で解体前処理方法を行ってもよい。
【実施例４】
【００３７】
実施例４は、本発明の第２の態様に係る電気製品の解体前処理方法及び清浄化装置に関する。実施例４の電気製品の清浄化装置及び解体前処理方法の概念図を図４の（Ａ）に示す、ブラシ組立体の模式図を図４の（Ｂ）に示す。実施例４の電気製品の清浄化装置１０Ｂは、
（ａ）電気製品を清浄化するために電気製品を収納する清浄化室２０、
（ｂ）首振り自在であり、且つ、電気製品に向かう方向及び電気製品から離れる方向に移動可能であるブラシ７１、
（ｃ）電気製品に高圧流体を吹き付ける高圧流体吹付け装置４０、及び、
（ｄ）電気製品の清浄化のために用いられた高圧流体を清浄化するための高圧流体清浄装置５０、
を備えている。
【００３８】
具体的には、電気製品は家庭用冷蔵庫６０Ｄであり、清浄化する電気製品の部分は家庭用冷蔵庫６０Ｄのコンプレッサ取付部６０ｄである。家庭用冷蔵庫６０Ｄを、通常と同じように置かれた状態とし、コンプレッサ取付部６０ｄが下方の側方に露出した状態で、コンプレッサ（圧縮機）やその他の部品、配管、配線、コンプレッサ取付部内壁面等に対する解体前処理方法を行う。尚、コンプレッサの図示は省略している。
【００３９】
清浄化室２０、高圧流体吹付け装置４０、高圧流体清浄装置５０の構成、構造は、実施例１において説明した清浄化室２０、高圧流体吹付け装置４０、高圧流体清浄装置５０の構成、構造と同様とすればよいので、詳細な説明は省略する。尚、複数のノズル４２は、実施例１と異なり、次に述べるように、台座７５に取り付けられている。
【００４０】
実施例４において使用されるブラシ７１を備えたブラシ組立体７０は、ブラシ７１が取り付けられたモータ７２を、台座７５に取り付けられたボールジョイント（ボール継手）７３及びスプリング７４に取り付け、ボールジョイント７３を取り付けた台座７５を空気圧シリンダー７６を用いて移動させる構成、構造を有する。実施例４にあっては、３つのブラシ組立体７０を電気製品の清浄化装置１０Ｂに組み込んだ。尚、３つのブラシが水平方向に並置された構造を有するが、これに限定するものではない。図面においては、ブラシ７１がコンプレッサ取付部６０ｄと十分に接していないように図示しているが、実際には、ブラシ７１はコンプレッサ取付部６０ｄと十分に、且つ、確実に接している。
【００４１】
実施例４の電気製品の解体前処理方法にあっては、電気製品を解体する前に、先ず、ローラコンベア２２に電気製品（家庭用冷蔵庫６０Ｄ）を載置し、清浄化室２０に搬入して、清浄化室２０内に収納する。そして、清浄化室２０を、一種、密閉状態とした後、モータ７２の作動によってブラシ７１を回転させながら、空気圧シリンダー７６を作動させて、ブラシ７１を電気製品に向かう方向に移動させ、更に、ブラシ７１をコンプレッサ取付部６０ｄの内部に挿入する。そして、この状態で、電気製品（より具体的には、コンプレッサ取付部６０ｄ）にノズル４２から高圧流体（圧縮空気）を吹き付けることで、電気製品から塵埃等を除去し（吹き飛ばし）て清浄化する。塵埃等を含む空気はサイクロン集塵機５１に送られ、サイクロン集塵機５１にて塵埃等は空気から除去される。ブラシ７１は、ボールジョイント７３に取り付けられているので、首振り自在であり、コンプレッサ取付部６０ｄの内部と自在に接触し得る。
【００４２】
電気製品の清浄化が完了したならば、空気圧シリンダー７６を作動させて、ブラシ７１を電気製品から離れる方向に移動させ、コンプレッサ取付部６０ｄから抜き出し、モータ７２の作動の動作、ノズル４２からの高圧流体（圧縮空気）の吹付けを中止する。そして、清浄化室２０から搬出し、電気製品の解体処理を行えばよい。
【００４３】
実施例４あるいは後述する実施例５の電気製品の解体前処理方法及び清浄化装置にあっては、廃棄電気製品を回転するブラシに接触させながら、電気製品に高圧流体を吹き付けることで、電気製品を清浄化する。従って、単に、電気製品に高圧流体を吹き付けることで電気製品を清浄化することに比べて、確実に塵埃等の除去を行うことができる。しかも、電気製品を解体する前に電気製品を清浄化するので、電気製品の解体作業場の環境を汚染することもない。特に、ブラシを用いることで、電気製品に頑強に付着していた塵埃等を確実に除去することができる。
【実施例５】
【００４４】
実施例５は実施例４の変形である。実施例５の電気製品の清浄化装置及び解体前処理方法の概念図を図５に示す。実施例５にあっては、電気製品は家庭用洗濯機６０Ｅであり、清浄化する電気製品の部分は家庭用洗濯機６０Ｅのモータ取付部６０ｅである。尚、モータや洗濯槽の図示は省略した。具体的には、家庭用洗濯機６０Ｅを横倒しとし、モータ取付部６０ｅが側方に露出した状態で、モータや洗濯槽、その他の部品、配線、モータ取付部内壁面等に対する解体前処理方法を行う。この点を除き、実施例５の電気製品の清浄化装置及び解体前処理方法は、実施例４の電気製品の清浄化装置及び解体前処理方法と同様とすればよいので、詳細な説明は省略する。尚、ブラシ７１の数を、実施例５にあっては、例えば、上下２段、１段２つの合計、４つとしたが、これに限定するものではない。
【００４５】
以上、本発明の電気製品の解体前処理方法及び清浄化装置を好ましい実施例に基づき説明したが、本発明はこれらの実施例に限定するものではない。清浄化装置の構成要素、構成部品、清浄化装置の構成、構造は例示であり、適宜、変更することができる。
【符号の説明】
【００４６】
１０Ａ，１０Ｂ・・・清浄化装置、２０・・・清浄化室、２１・・・側壁、２２・・・ローラコンベア、３０・・・振動装置、３１・・・圧縮空気源（エアコンプレッサ）、３２・・・チェック弁、３３・・・振動付与部（バット）３３、３４・・・配管（ホース）、４０・・・高圧流体吹付け装置、４１・・・高圧流体源、４２・・・ノズル、４３・・・配管（ホース）、５０・・・高圧流体清浄装置、５１・・・サイクロン集塵機、５２・・・配管、６０Ａ，６０Ｂ，６０Ｃ，６０Ｄ，６０Ｅ・・・電気製品、６０ｃ・・・背面部、６０ｄ・・・コンプレッサ取付部、６０ｅ・・・モータ取付部、７０・・・ブラシ組立体、７１・・・ブラシ、７２・・・モータ、７３・・・ボールジョイント（ボール継手）、７４・・・スプリング、７５・・・台座、７６・・・空気圧シリンダー
【図１】
2011183330.tif 000003
【図２】
2011183330.tif 000004
【図３】
2011183330.tif 000005
【図４】
2011183330.tif 000006
【図５】
2011183330.tif 000007